(57)【特許請求の範囲】
【請求項１】
支柱アンカを介して立設した支柱に取付けられる柵において、
前記支柱アンカは、前記支柱の中に納められる鉄鋼製中空材と、その中空材の下端部に溶接され、前記土台の上面に固着される台座と、前記中空材の中に固着されている板状のアルミニウム製のねじ受け部材とからなり、
前記中空材は、少なくとも上下２箇所に縦長孔が形成され、前記台座と溶接された状態で防錆処理をされており、
前記ねじ受け部材は、前記中空材の内壁面に固着されて前記縦長孔を閉そくし、前記支柱に貫通したねじを前記縦長孔を経てねじ込まれて、その支柱を固定するものであることを特徴とする柵。
【発明の詳細な説明】
【技術分野】
【０００１】
本発明は、例えば、パラペット又は土台の上面に支柱アンカを介して立設した支柱に取付けられる柵に関する。
【背景技術】
【０００２】
一般的に、柵は、美観と防錆のために、断面形状が矩形のアルミニウム製中空材で構成された支柱により支持されるが、アルミニウム製であるために強度不足になりがちであるので、ステンレス鋼その他の鉄鋼製の支柱アンカの下端部に平板状の台座を溶接し、その台座をパラペット又は土台（以下、代表的に土台という。）の上面にねじなどで固着し、その支柱アンカを笠木に形成してある孔に貫通して、その笠木を土台に固定し、支柱アンカを支柱の中に納め、その支柱の外側から支柱アンカに形成してあるねじ孔にねじをねじ込んで支柱を支柱アンカに固着している。
【特許文献１】特になし
【発明の開示】
【発明が解決しようとする課題】
【０００３】
しかし、従来の支柱アンカは、長さが比較的短いため、支柱補強効果が十分でなく、柵本体に加わる風力あるいは人の荷重により支柱が塑性変形する虞があった。
また、支柱アンカは防錆処理が施されているが、従来は、支柱アンカに現場でタッピングねじをねじ込むので、支柱アンカのねじ孔に錆が発生するなどの問題があった。
【０００４】
本発明は、上記の点に鑑みてなされたものであり、解決しようとする課題は、簡単な構造により支柱に対する補強効果が増大され、錆発生防止性能に優れ、しかも、支柱を容易に固定できる支柱アンカを用いる柵を提供することにある。
【課題を解決するための手段】
【０００５】
上記課題を解決するため、本発明は、支柱アンカを介して立設した支柱に取付けられる柵において、前記支柱アンカを、支柱の中に納められる鋼製中空材と、その中空材の下端部に溶接され、前記土台の上面に固着される台座と、前記中空材の中に固着されている板状のアルミニウム製のねじ受け部材とで構成し、前記中空材は、少なくとも上下２箇所に縦長孔が形成され、前記台座と溶接された状態で防錆処理をされており、前記ねじ受け部材は、前記中空材の内壁面に固着されて前記縦長孔を閉そくし、前記支柱に貫通したねじを前記縦長孔を経てねじ込まれて、その支柱を固定するものであることを特徴とする。
【０００６】
上記構成において、支柱アンカの中空材は鋼製であって支柱の中に納められる。従って、支柱が補強されるので、支柱の塑性変形が防止される。防錆処理後の支柱アンカの中空材にねじ受け部材が固着される。従って、支柱アンカに錆が発生しない。支柱を固定するねじは支柱アンカの縦長孔に臨んでいるねじ受け部材にねじ込まれるから、ねじのねじ込みに伴う錆の発生がなく、ねじ込み抵抗が少ない。従って、支柱を支柱アンカに容易に固着することができる。
【発明の効果】
【０００７】
本発明によれば、支柱アンカの中空材は鋼製であって、支柱の中に納められて固着されるので、支柱に対して大きな補強性能を有するため、支柱の塑性変形が防止される。また、防錆処理後の支柱アンカに縦長孔を塞ぐねじ受け部材が固着され、支柱は、その外側からねじを縦長孔を経てねじ受け部材にねじ込んで固定されるので、そのねじのねじ込みに伴って錆が発生することが有効に防止される。さらに、支柱を固定するねじは支柱アンカの縦長孔に臨んでいるねじ受け部材にねじ込まれるから、ねじ込み抵抗が少なく、支柱の固定が容易にできる。
【発明を実施するための最良の形態】
【０００８】
次に、本発明の実施の形態について図面を参照しながら説明する。
図１は支柱アンカを用いて立設した支柱に支持された柵の一例の斜視図、図２は本発明の要部である支柱アンカの一例を示す図であり、（ａ）は正面図、（ｂ）は平面図である。図３ないし図８は、図２の支柱アンカを用いて支柱を立設する工程を示すものであり、図３は支柱立設の第１工程及び第２工程を示す斜視図、図４は同じく第３工程を示す斜視図、図５は同じく第４工程を示す斜視図、図６は同じく第５工程を示す斜視図、図７は同じく第６工程を示す斜視図である。図８は支柱下端部の防水及び排水のための柱台座を示す図であり、（ａ）は上面の斜視図、（ｂ）は底面図である。図９は第６工程終了時の状態を示す縦断面図、図１０は図９のＸ−Ｘ線断面図である。
【０００９】
図１において、Ｆは柵、１は土台、２はその土台の上面に固定された笠木、３は土台の上面に固定され、笠木を貫通して立設された支柱、４は支柱の上端部に固定された手摺、５は各支柱の間に取り付けられた柵本体の一例としてのパネルである。
【００１０】
図１の支柱３を立設するには、図２に示す支柱アンカ６が用いられる。支柱アンカ６は、横断面形状が矩形のステンレススチール又はその他の鉄鋼製中空材６１の下端部を矩形平板状の鉄鋼製台座６２の中央に溶接６３して構成されている。中空材６１は、柵の支柱の長さに近い長さを有し、少なくとも長手方向両端部に縦長孔６１ａが形成され、各縦中孔の付近にねじ孔６１ｂが形成されている。そして、支柱アンカ６の台座６２には、その中央に水抜き孔６２ａが、４隅近傍に長孔６２ｂが形成されている。支柱アンカ６は、中空材６１と台座６２が溶接された状態でメッキ等の防錆処理が施されている。
【００１１】
支柱アンカ６の中空材６１の縦長孔６１ａが形成されている壁の内面にアルミニウム製の帯板状のねじ受け部材７が備えられ、ねじ孔６１ｂからねじ込んだねじ８ａにより支柱アンカの中空材６１に固着されており、そのねじ受け部材７の両端部は中空材６１の縦長孔６１ａを閉そくしている。ねじ８ａは防錆処理を施された支柱アンカ６にねじ込まれるので、このねじのねじ込みが錆発生原因となることが防止されている。
ねじ受け部材７は、図示の例では、１本の長尺材料で作られているが、各縦孔に対応する短尺材料で作られたものを複数個用いても良い。
【００１２】
次に、上記構成の支柱アンカを用いて支柱３を立設する手順について、図３ないし図７までの図面に基づいて説明する。
第１工程として、図３に示すように、土台１の上面に支柱アンカが固着される。ねじ受け部材７を内側に備えた支柱アンカ６は、図３に示すように、縦長孔６１ａをバルコニー又はフェンスなどの柵の内側に向けて台座６２が土台１の上面に載置され、その台座の長孔６２ｂからコーチねじ８ｂを土台１にねじ込んで、立設される。支柱アンカ６及びねじ受け部材７の長さは、手摺４の高さ、すなわち支柱３の高さに応じて決定されるが、出来るだけ大きな補強効果が得られるように、支柱の高さに近い長さ、例えば、８００〜１３００ｍｍ程度である。
【００１３】
続いて、図３に示すように、第２工程として、笠木２を土台１の上方から降ろし、その笠木に形成されている支柱アンカの断面形状と相似形の孔２１に支柱アンカ６の中空材６１を挿入し、その笠木を図４に示すように土台１の上面に近接し、図示されていない既知のホルダに弾力的に嵌合して固定する。この状態で、図４に示すように、支柱アンカ６は笠木２の孔２１から上方に起立する。この時、支柱アンカ６の中空材６１の外周面と笠木２の孔２１の周辺との間にわずかな隙間が生じる場合が少なくない。
【００１４】
そこで、第３工程として、図４及び図５に示すように、笠木の上面にその隙間に沿ってシーラー９を備えて、その隙間を塞ぐ。このシーラー９は、合成ゴム又はプラスチック材料でＬ字形に成形された２つのシーラー部材を、支柱アンカ６の中空材６１の隣接する二つの側面の幅と合致する長さに切断し、それらを支柱アンカ６の互いに反対側に反転対称形に配置し、矩形に連続させて隙間を密閉する。シーラー９は、１個の矩形環状に形成されたものを用いることも出来る。しかし、その場合は、所定寸法の支柱アンカ専用となり、また、支柱アンカの上端部から嵌合し、これを基部の笠木上面まで引き下ろして載置することは面倒であるので、図示の例のように、Ｌ字形のシーラー部材を造り、支柱アンカの寸法に合わせて切断して用いれば、１種類のシーラー部材で各種寸法の支柱アンカに適用可能であるので、製造コストの低減が可能である。
【００１５】
次に、第４工程として、図５及び図６に示すように、支柱アンカ６の中空材６１にその上方から柱台座１０を挿通し、笠木２の上面に載置し、前記シーラー９を収容して隠蔽すると共に、シーリング材１１を充填してその柱台座１０と支柱アンカ６の中空材６１の外周面との間を密封して固定する。さらに詳述すると、図７に示すように、柱台座１０は、支柱アンカ６の中空材６１の横断面形状と同じ形状である矩形環状の枠部１０１を有する。その枠部１０１は上面に平坦面を有し、内周辺に沿って矩形に連続して起立する内周壁１０２を有している。そして、内周壁１０２の内周面の高さ方向中間に互いに対向して突出する凸部１０３，１０４を有する。これらの凸部１０３，１０４よりも下側の内周壁１０２の内周面により囲まれた部分にシーラー９を収容する空間が形成され、また凸部１０３，１０４よりも上側の内周壁１０２の内周面により囲まれた部分に、後述されるシーリング材充填空間が形成されている。従って、枠部１０１の内周面の大きさは、シーラー９の外形寸法とほぼ一致させてある。また、枠部１０１の一つの相対する辺には内周壁に近い位置において上面に開口する排水溝１０５が形成され、その排水溝１０５は枠部の他の相対する辺の一方において側方に開口されている。
【００１６】
こうして、図６に示すように、柱台座１０の枠部１０１の内側に支柱アンカ６の中空材６１を挿入して、排水溝１０５の側面開口をバルコニーの内側又はフェンスの内側に向けた状態で、枠部１０１を笠木２の上面に載置すると、凸部１０３，１０４が支柱アンカ６の中空材６１の各外面に当接して、柱台座１０が所定の位置に位置決めされる。そのとき、先に装着されたシーラー９が柱台座１０の前記シーラー収容空間に収容され、内周壁１０２と凸部１０３，１０４により押さえられる。従って、シーラー９が笠木２の上面などに接着されなくとも固定され、そのシーラーにより支柱アンカ６と笠木２の間への雨水浸入を防止する効果が得られる。
【００１７】
さらに、柱台座の上面の内周壁１０２と支柱アンカ６の中空材６１の間において上方に開放されているシーリング材充填空間に、例えばチューブ１１などからシーリング材１１１が充填されて、支柱と枠部１０１の間が完全に密封される。従って、支柱アンカ６の中空材６１の下部と笠木２の間には高い水密性が確保される。
【００１８】
最後の工程として、図６及び図８に示すように、支柱アンカ６の中空材６１の上方から横断面形状が矩形のアルミニウム製中空材で形成された支柱３を下降して、その中空部３１に支柱アンカ６の中空材６１を挿入し、その支柱３の下端面を柱台座１０の枠部１０１の平坦な上面に当接させ、支柱３に予め形成してある孔３２からねじ３３をねじ込む。このねじ３３は、支柱アンカ６の中空材６１の縦長孔６１に臨ませてあるねじ受け部材８にねじ込まれるため、支柱３が強固かつ堅固に支柱アンカ６に固定される。
【００１９】
支柱３の下端面は柱台座１０の枠部１０１の上面に密着されるが、柱台座の排水溝１０５はその枠部１０１の上面よりも低い位置に形成されているので、支柱３の中空部に浸入することがある雨水は、その支柱３の内壁面に沿って流下し、柱台座上面に充填されているシーリング材１１１に誘導されて、排水溝１０５を流れ、その一端からバルコニー内側又はフェンス内側に排水される。
【図面の簡単な説明】
【００２０】
【図１】支柱アンカを用いて立設された支柱を有する柵の一例の斜視図。
【図２】支柱アンカの一例を示す図であり、（ａ）は正面図、（ｂ）は平面図。
【図３】支柱立設の第１工程及び第２工程を示す斜視図。
【図４】同じく第３工程を示す斜視図。
【図５】同じく第４工程を示す斜視図。
【図６】同じく第５工程を示す斜視図。
【図７】同じく第６工程を示す斜視図。
【図８】支柱下端部の防水及び排水のための柱台座を示す図であり、（ａ）は上面の斜視図、（ｂ）は底面図。
【図９】第６工程終了時の状態を示す縦断面図。
【図１０】図９のＸ−Ｘ線断面図。
【符号の説明】
【００２１】
Ｆ      柵
１      土台
２      笠木
３      支柱
６      支柱アンカ
６１    中空材
６２    台座
６１ａ  縦長孔
７      ねじ受け部材
８ａ，８ｂ    ねじ
【図１】
0004657114.tif 000002
【図２】
0004657114.tif 000003
【図３】
0004657114.tif 000004
【図４】
0004657114.tif 000005
【図５】
0004657114.tif 000006
【図６】
0004657114.tif 000007
【図７】
0004657114.tif 000008
【図８】
0004657114.tif 000009
【図９】
0004657114.tif 000010
【図１０】
0004657114.tif 000011